(57)【要約】  電子機器は、接続端子を内部に収容する開口（２３）が形成された筐体（１１０）と、接続端子が露出しないように開口を密閉する端子カバー（１０）とを備える。端子カバー（１０）は、開口を密閉する蓋部（１１）と、端子カバーを筐体に固定する部分である固定部（１３）とを備える。蓋部（１１）は、突出部（１５）と、突出部の周囲に取り付けられ、突出部よりも低い高さの表面を有するクッション部材（２５）とを備える。クッション部材（２５）は、開口周囲の部材（２４）と密着することで開口（２３）を密閉する。
2017077671.tif 000002
【特許請求の範囲】
【請求項１】
接続端子を内部に収容する開口が形成された筐体と、
接続端子が露出しないように前記開口を密閉する端子カバーとを備え、
前記端子カバーは、前記開口を密閉する蓋部と、前記端子カバーを前記筐体に固定する部分である固定部とを備え、
前記蓋部は、突出部と、前記突出部の周囲に取り付けられ、前記突出部よりも低い高さの表面を有するクッション部材とを備え、
前記クッション部材は、前記開口の周囲の部材と密着することで前記開口を密閉する、電子機器。
【請求項２】
前記突出部は前記蓋部の中央部分に設けられた、請求項１に記載の電子機器。
【請求項３】
前記突出部の少なくとも一部の輪郭は角がない丸みを帯びた形状である、請求項１に記載の電子機器。
【請求項４】
前記接続端子は、前記電子機器の外部から電力を受けるための端子である、請求項１に記載の電子機器。
【請求項５】
ノートパソコン、タブレット端末、スマートフォン、携帯電話及びデジタルカメラのいずれか１つである、請求項１〜４のいずれかに記載の電子機器。
【請求項６】
電子機器の接続端子が露出しないように前記接続端子を覆い隠す端子カバーであって、
前記接続端子を収容する開口であって前記電子機器に形成された開口を密閉する蓋部と、
前記端子カバーを前記電子機器に固定する部分である固定部と、を備え、
前記蓋部は、突出部と、前記突出部の周囲に取り付けられ、前記突出部よりも低い高さの表面を有するクッション部材とを備え、
前記クッション部材は、前記開口の周囲の部材と密着することで前記開口を密閉する、端子カバー。
【発明の詳細な説明】
【技術分野】
【０００１】
本開示は、防水性及び防塵性を有する電子機器の端子カバー及びそれを備えた電子機器に関する。
【背景技術】
【０００２】
特許文献１は、携帯端末の接続端子を収納した開口を密閉して塞ぐ防水端子カバーを開示する。特許文献１の防水端子カバーは、弾性部材よりなり、開口部に圧入されて開口部を密閉状に塞ぐ突起状栓部及び開口部の周縁に当接する鍔部を備えるシール部と、シール部よりも剛性の高い材料によってシール部と一体成形され、シール部を覆って外観を構成する本体部と、本体部から一体に延び、正面側キャビネットに係止されて抜け止めする延長鉤部とを備える。【０００３】
特許文献１の防水端子カバーによれば、開口部に圧入されて開口部を密閉状に塞ぐ突起状栓部及び開口部周縁に当接する鍔部を備える弾性部材よりなるシール部を、このシール部よりも剛性の高い材料よりなり、外観を形成する本体部と一体成形される。これにより、簡単な構成で製造しやすく、且つ防水性を高めた防水端子カバーを実現している。
【先行技術文献】
【特許文献】
【０００４】
【特許文献１】特開２０１４−１３７８４９号公報
【発明の概要】
【０００５】
本開示は、接続端子の防水性能、防塵性能の劣化を低減した電子機器を提供する。
【０００６】
本開示の第１の態様において、電子機器が提供される。電子機器は、接続端子を内部に収容する開口が形成された筐体と、接続端子が露出しないように開口を密閉する端子カバーとを備える。端子カバーは、開口を密閉する蓋部と、端子カバーを筐体に固定する部分である固定部とを備える。蓋部は、突出部と、突出部の周囲に取り付けられ、突出部よりも低い高さの表面を有するクッション部材とを備える。クッション部材は、開口周囲の部材と密着することで開口を密閉する。
【０００７】
本開示の第２の態様において、電子機器の接続端子が露出しないように接続端子を覆い隠す端子カバーが提供される。端子カバーは、接続端子を収容する開口であって電子機器に形成された開口を密閉する蓋部と、端子カバーを電子機器に固定する部分である固定部と、を備える。蓋部は、突出部と、突出部の周囲に取り付けられ、突出部よりも低い高さの表面を有するクッション部材とを備える。クッション部材は、開口周囲の部材と密着することで開口を密閉する。
【０００８】
本開示によれば、端子カバーに設けられたクッション部材によりカバーを閉じたときの気密性を高め防水性、防塵性を確保することができる。また、端子カバーに設けられた突出部により、接続端子等の挿抜時において、端子カバーに設けられたクッション部材と接続端子等との接触が低減できるため、クッション部材の損傷を低減できる。このため、端子カバーの気密性すなわち防水性、防塵性をより長く維持することができる。
【図面の簡単な説明】
【０００９】
【図１】図１は、本開示の実施の形態１に係る情報処理装置の斜視図である。
【図２】図２は、第２のユニットを第１のユニット１０１に対して閉じた状態での情報処理装置の斜視図である。
【図３】図３は、電源プラグ用の接続端子に対する端子カバーの近傍の領域を拡大した図である。
【図４】図４は、端子カバーを開いた状態で電源プラグの挿入口が露出した状態を示した図である。
【図５Ａ】図５Ａは、端子カバーの全体構成を示した図である。
【図５Ｂ】図５Ｂは、端子カバーの５Ｂ−５Ｂ断面図である。
【図６】図６は、端子カバーを閉じた状態での情報処理装置の断面図である。
【図７】図７は、電源プラグの挿入口に対して電源プラグを抜き差しする際の状態を説明した図である。
【図８】図８は、電源プラグの挿入口に対して電源プラグを抜き差しする際の状態を説明した図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者（ら）は、当業者が本開示を十分に理解するために添付図面および以下の説明を提供するのであって、これらによって請求の範囲に記載の主題を限定することを意図するものではない。
【００１２】
（実施の形態１）
［１−１．全体構成］
図１は、本開示の実施の形態１に係る端子カバーを備えた電子機器の一例である情報処理装置の斜視図である。
【００１３】
図１に示すように、情報処理装置１００は、第１のユニット１０１と、第２のユニット１０２とを備える。第２のユニット１０２は、第１のユニット１０１に対して着脱可能である。第２のユニット１０２を第１のユニット１０１に装着した場合、情報処理装置１００はノートブック型コンピュータとして利用することができる。また、第２のユニット１０２単体では、タブレット型コンピュータとして利用することができる。このように情報処理装置１００は所謂デタッチャブル型コンピュータである。
【００１４】
第２のユニット１０２は単体でタブレット型コンピュータとしての機能を有する。第２のユニット１０２は表示部１２１を備える。表示部１２１は、例えば液晶表示デバイスで構成され、第２の筐体１２０の一主面に取り付けられる。表示部１２１は有機ＥＬデバイスのような他の表示デバイスで構成されてもよい。表示部１２１には、液晶表示デバイスに重畳してユーザのタッチ操作を受付可能なタッチパネルが設けられている。第２のユニット１０２は、コンピュータとしての機能を実現するため、中央演算処理装置（ＣＰＵ）、揮発性記憶装置（ＲＡＭ）、不揮発性記憶装置（ＲＯＭ、ＳＳＤ等）、バッテリ等を内蔵している。不揮発性記憶装置（ＲＯＭ、ＳＳＤ等）には、オペレーティングシステム（ＯＳ）、種々のアプリケーションプログラム、種々のデータ等が格納されている。中央演算処理装置（ＣＰＵ）は、ＯＳ、アプリケーションプログラム、種々のデータを読み込んで演算処理を実行することにより、種々の機能を実現する。
【００１５】
第１のユニット１０１は、第１の筐体１１０と、ホルダ１３０と、ヒンジ部１４０とを備える。第１の筐体１１０は、例えば、マグネシウム合金などの金属や樹脂により形成される。第１のユニット１０１は、第２のユニットに対してユーザが入力操作を行うための入力部を備える。入力部として、第１の筐体１１０には、キーボード１１１、タッチパッド１１２及び操作ボタン１１３等が設けられている。
【００１６】
ホルダ１３０は第１のユニット１０１と電気的にまたは機械的に接続されている。ホルダ１３０は、第２のユニット１０２の一部を収容することで第２のユニット１０２を装着する。ホルダ１３０は、第２のユニット１０２を装着したときに、第１のユニット１０１と第２のユニット１０２とを電気的に接続する。
【００１７】
ヒンジ部１４０は、ホルダ１３０（すなわち、第２のユニット１０２）が第１のユニット１０１に対して回動できるようにホルダ１３０と第１のユニット１０１を連結する。
【００１８】
ホルダ１３０内には、第２のユニットのコネクタ（図示せず）と接続されるコネクタ（図示せず）が設けられている。また、ヒンジ部１４０内には、ホルダ１３０と第１のユニット１０１との間で各種信号や電力のやりとりするための配線が通されている。これらのコネクタや配線を介して、第２のユニット１０２と第１のユニット１０１との間で、種々の信号や電力の授受を行うことが可能となっている。
【００１９】
図２は、第１のユニット１０１に対して第２のユニット１０２を閉じた状態での情報処理装置１００の斜視図である。第１のユニット１０１の側面において、電源プラグ、外部機器、メモリカード等を接続するための接続端子が設けられている。各接続端子に対して、接続端子の未使用時に接続端子が露出しないようにするための端子カバー１０、６１〜６４が設けられている。例えば、電源アダプタからの電源を供給する電源プラグの端子を接続する接続端子に対して、端子カバー１０が設けられている。また、メモリカード用の接続端子（メモリカードの挿入口）に対して、端子カバー６１が設けられている。また、ＨＤＭＩ（登録商標、以下同様）端子、ＵＳＢ端子、ディスプレイ端子それぞれをカバーするために端子カバー６２、６３、６４が設けられている。
【００２０】
第１のユニット１０１においても、第２のユニット１０２と同様に、メモリカード用の接続端子、イヤホン／マイクロホンの接続端子、ＨＤＭＩ端子、ＵＳＢ端子等が設けられており、それぞれに対して防水および防塵用の端子カバーが設けられている。
【００２１】
［１−２．電源プラグ用の接続端子の端子カバー］
図３は、電源プラグ用の接続端子をカバーする端子カバー１０の近傍の領域を拡大した図である。なお、図３は、第２のユニット１０２がホルダ１３０から取り外されたときの状態を示す。同図では、電源プラグ用の接続端子が露出しないように端子カバー１０が閉じられている。端子カバー１０が閉じられた状態では、端子カバー１０は、端子カバー１０が十分な防水性能および防塵性能を発揮できるように電源プラグの挿入口を密閉する。端子カバー１０は２つの部材４１、４２で構成される。部材４２は、部材４１上をスライドできるように部材４２に取り付けられている。そして、部材４２を第１のユニット１０１の後方へスライドさせることで、端子カバー１０をロックできるようになっている（詳細は後述）。
【００２２】
図４は、端子カバー１０が開放され、電源プラグの挿入口２３（開口）が露出した状態を示した図である。第１の筐体１１０には電源プラグの挿入口２３（開口）が設けられており、挿入口２３の奥に電源プラグ用の接続端子が収容されている。図４に示す状態では、電源プラグ用の接続端子も露出した状態になる。第１の筐体１１０における電源プラグの挿入口２３の周囲の領域には、リブ２４が設けられている。
【００２３】
図５Ａは、端子カバー１０の構成を示した図である。図５Ｂは、図５Ａにおいて、５Ｂ−５Ｂ線で切断したときの蓋部１１の断面である。
【００２４】
端子カバー１０は、電源プラグの挿入口２３を密閉する部分である蓋部１１と、端子カバー１０を第１のユニット１０１の筐体に固定する部分である固定部１３と、蓋部１１と固定部１３とを連結する連結部１２とから構成される。蓋部１１と連結部１２と固定部１３とは弾性を有する樹脂材料によって一体的に形成される。
【００２５】
連結部１２はヒンジとしての機能を果たす。固定部１３は中央に開口１６を有している。端子カバー１０は、開口１６を介してネジ２１によりネジ止めされることによって、第１のユニット１０１の筐体１１０に固定される。
【００２６】
図５Ａ、Ｂに示すように、蓋部１１は、電源プラグの挿入口２３と対向する主面の中央部分に突出部１５を有する。突出部１５の周囲には、クッション部材２５が取り付けられている。突出部１５の外径は挿入口２３の口径よりも小さく、蓋部１１が完全に閉じられた状態では、突出部１５は挿入口２３内に収納されるようになっている。クッション部材２５は例えばウレタン樹脂やゴム等の弾性を有する材料で形成される。突出部１５は、クッション部材２５の表面よりも高さが高くなるように形成されている。突出部１５は、クッション部材２５を構成する材料よりも硬質の樹脂材料などによって形成されている。
【００２７】
蓋部１１は、少なくとも電源プラグの挿入口２３全体を覆うことができる程度の面積を有する。蓋部１１が第１のユニット１０１に対して完全に閉じられると、蓋部１１のクッション部材２５が、電源プラグの挿入口２３の周囲に設けられたリブ２４と密着することにより、挿入口２３が密閉される。これにより、挿入口２３に対する防水性、防塵性が確保される。
【００２８】
図６は、蓋部１１が第１のユニット１０１に対して閉じられた状態での、情報処理装置１００における蓋部１１近傍の断面（第１のユニット１０１の主面に平行な面で切断したときの断面）を示した図である。端子カバー１０は、部材４１と、部材４１の外側に配置される部材４２の２つの部材により構成される。部材４１は、蓋部１１と連結部１２と固定部１３とが一体的に形成された部材である。部材４２は、先端に突起１９を有し、部材４１上をスライド可能となるように部材４１に取り付けられている。端子カバー１０を閉じた状態で部材４２を、第１のユニット１０１の後方へスライドさせることで突起１９が第１のユニット１０１内に設けられた収納部５１に挿入され、これにより、蓋部１１は第１のユニット１０１に固定（ロック）される。このとき、蓋部１１のクッション部材２５はプラグ挿入口２３の周囲に設けられたリブ２４と密着し、これにより、プラグ挿入口２３（すなわち、電源プラグと接続する接続端子を収容する、第１のユニット１０１の内部空間）が密閉され、防水性、防塵性が確保される。
【００２９】
以上のように構成される端子カバー１０は、突出部１５によって、電源プラグの挿抜に伴うクッション部材２５の損傷を低減できる。以下、図７及び図８を用いてこれを説明する。
【００３０】
図７および図８は、端子カバー１０を開いた状態で、第１のユニット１０１の電源プラグの挿入口２３に対して電源プラグ３１が抜き差しされるときの状態を説明した図である。電源プラグ３１が抜き差しされる時において、端子カバー１０の蓋部１１の突出部１５が電源プラグ３１の端子３３に当接する。このため、電源プラグ３１の挿抜時において、端子カバー１０のクッション部材２５が電源プラグ３１に接触することが低減される。よって、電源プラグ３１の挿抜時において、電源プラグ３１との接触にともないクッション部材２５が摩耗したり、損傷したりすることを低減でき、クッション部材２５による気密性（すなわち、防水性能、防塵性能）を長く維持することができる。
【００３１】
端子カバー１０内側に設けられる突出部１５の形状は、図５Ａに示すように、角がない（丸みを帯びた）形状にするのが好ましい。これは、挿入口２３に電源プラグを挿入した状態で電源プラグ３１を回転させたときに、電源プラグ３１の突出部１５に対する引っかかりを低減できるからである。また、図５Ａに示す例では、突出部１５の輪郭の形状を円ではなく、円の上部（一部）をカットした形状にしているが、これは、クッション部材２５の取り付け時において、クッション部材２５の位置決めを容易にするためである。
【００３２】
［１−３．効果、等］
以上のように本実施形態の情報処理装置１００は、第１の筐体１１０と、電源プラグ３１の端子３３と接続する端子が露出しないように挿入口２３（開口の一例）を密閉する端子カバー１０とを備える。端子カバー１０は、挿入口２３を密閉する蓋部１１と、端子カバー１０を筐体１１０に固定する部分である固定部１３と、を備える。蓋部１１は、突出部１５と、突出部１５の周囲に取り付けられ、突出部よりも低い高さの表面を有するクッション部材２５とを備える。すなわち、突出部１５は、クッション部材２５の表面よりも突出するように形成されている。クッション部材２５は、挿入口２３の周囲のリブ２４と密着することで挿入口２３を密閉する。
【００３３】
この構成により、クッション部材２５により、カバーを閉じたときの気密性を高め防水性、防塵性を確保することができる。同時に、電源プラグの挿入口２３に対して電源プラグ３１が挿抜されるときに、電源プラグの端子３３が端子カバー１０の突出部１５と接触することから、電源プラグ３１の端子３３のクッション部材２５への接触を防止することができる。これにより、電源プラグの挿抜に伴うクッション部材の摩耗や損傷を低減でき、端子カバー１０の防水性、防塵性の劣化を低減することができる。
【００３４】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００３５】
実施の形態１では、端子カバーの突出部１５の輪郭を図５Ａに示すように円の上部をカットした形状としたが、この形状に限定されるものではない。端子カバーの突出部１５は、突出部１５の高さがクッション部材２５の高さよりも高くなることが必須の要件であり、輪郭の形状については任意の形状を採用できる。
【００３６】
また、実施の形態１では、電源プラグ用の接続端子に対する端子カバー１０について突出部１５を設ける例を説明したが、本開示の思想は他の種類の接続端子に対する端子カバーに対しても適用することができる。例えば、メモリカード用の接続端子（挿入口）に対する端子カバー６１や、ＨＤＭＩ端子、ＵＳＢ端子、ディスプレイ端子それぞれに対する端子カバー６２、６３、６４に対して、突出部やクッション部材を設けても良い。クッション部材２５により端子カバーを閉じたときの気密性を高め防水性、防塵性を確保するとともに、突出部１５により、メモリカードや接続端子の挿抜に伴うクッション部材２５の摩耗や損傷を低減することができる。
【００３７】
実施の形態１は、クッション部材２５と密着し、開口（挿入口２３）を密閉するリブ２４を第１の筐体１１０に形成したが、第１の筐体１１０以外の部材に形成してもよい。すなわち、クッション部材２５と密着し、開口（挿入口２３）を密閉することができるのでれば、リブを任意の部材上に形成しても良い。
【００３８】
実施の形態１では、電子機器の一例として、所謂デタッチャブル型コンピュータを説明したが、端子カバーに関する本開示の思想は他の種類の電子機器にも適用することができる。例えば、ノート型パソコン、タブレット端末、スマートフォン、携帯電話、デジタルカメラのような接続端子を備えた電子機器に対して適用できる。
【００３９】
以上のように、本開示における技術の例示として、実施の形態を説明した。そのために、添付図面および詳細な説明を提供した。
【００４０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４１】
また、上述の実施の形態は、本開示における技術を例示するためのものであるから、請求の範囲またはその均等の範囲において種々の変更、置き換え、付加、省略などを行うことができる。
【産業上の利用可能性】
【００４２】
本開示は、外部機器や電源プラグ等を接続するための接続端子を覆い隠す端子カバーを有し、かつ端子カバーに対する防水性や防塵性が要求される電子機器（例えば、ノートパソコン、タブレット端末、スマートフォン、携帯電話、デジタルカメラ）に有用である。
【符号の説明】
【００４３】
１０  電源プラグの接続端子用の端子カバー
１１  蓋部
１２  連結部
１３  固定部
１５  突出部
１９  突起
２１  ネジ
２５  クッション部材
３１  電源プラグ
３３  電源プラグの端子
６１〜６４  端子カバー
１００  情報処理装置
１０１  第１のユニット
１０２  第２のユニット（タブレット端末）
１１０  第１の筐体
１３０  ホルダ
１４０  ヒンジ部
【図１】
2017077671.tif 000003
【図２】
2017077671.tif 000004
【図３】
2017077671.tif 000005
【図４】
2017077671.tif 000006
【図５Ａ】
2017077671.tif 000007
【図５Ｂ】
2017077671.tif 000008
【図６】
2017077671.tif 000009
【図７】
2017077671.tif 000010
【図８】
2017077671.tif 000011
【国際調査報告】
2017077671.tif 000012
2017077671.tif 000013
2017077671.tif 000014
2017077671.tif 000015